(57)【要約】      （修正有）【課題】キャップ本体を手の指で容易に持ちやすい形状とすると共に、持つ部分が充分に確保され滑る事がないので、取り付け、取り外し等の操作が極めて容易にでき、また、書類やメモ等の固定された状態が美観に優れると共に、非常に体裁がよいキャップと永久磁石との組合せを提供する。【解決手段】キャップ本体１は、キャップ部２と永久磁石３との組合せにおいて、該キャップ部は、円筒形で外周の高さ寸法は、指で持てる範囲の手指間隔部１０を形成する。また、該キャップ部には、外周に滑り止め用の粗面部６を形成すると共に、内部の内周に内螺子部を刻設してある。該キャップ部に嵌合する該永久磁石は、円形状に形成されている。また、該永久磁石には、外周に環体５を被着するものと、環体の外周に外螺子部を設けた構成となっている。【選択図】図１
0003129780.tif 000002
【実用新案登録請求の範囲】
【請求項１】
キャップ本体は、キャップ部と永久磁石との組合せにおいて、該キャップ部は、円筒形で外周の高さ寸法は、指で持てる手指間隔部を有し、且つ該キャップ部には、該手指間隔部の外周に滑り止め用の粗面部を設けると共に、内周に内螺子部を刻設し、該永久磁石は、該キャップ部の内部に嵌合する円形状に形成された事を特徴としたキャップと永久磁石との組合せ。
【請求項２】
請求項１における永久磁石には、外周に合成樹脂等よりなる環体を被着し、該環体には、外周に外螺子部を刻設した事を特徴とする請求項１のキャップと永久磁石との組合せ。
【請求項３】
請求項１の外周に粗面部と、内周に内螺子部を設けたキャップ部と、請求項２に示す永久磁石の外周の環体に外螺子部を設けた磁石部とを螺合する事を特徴とする請求項１と請求項２とのキャップと永久磁石との組合せ。
【考案の詳細な説明】
【技術分野】
【０００１】  本考案は、永久磁石を以って、ロッカー、冷蔵庫、ホワイトボード及びスチール面に書類やメモ及び写真等をしっかり固定止める事を特徴とするキャップと永久磁石との組合せに関するものである。
【背景技術】
【０００２】  一般にこの種の永久磁石を以って、ロッカー、冷蔵庫、ホワイトボード等のスチール面に書類及びメモ等を磁石によって止めるものが多数散見されている現状である。
【考案の開示】
【考案が解決しようとする課題】
【０００３】  上記の様に従来の、この種の書類及びメモ等をスチール面に固定保持する磁石付の固定具は、ボタン状の薄肉の円形状に形成され、固定具本体の裏面中央に円形の永久磁石を接合したものであるが、これ等の磁石付固定具は、薄肉の円形状の高さ寸法が無い固定具のために、メモ等の書類を固定止める事は容易であるが、取り外しの際に把手部が無いので、摘んで持ち外しづらい欠点と、指で握るのに握る部分が無いので、着脱の際に指で挟持出来ないため、常時落下すると云う問題点が生じている。
本考案は、上記従来の技術の欠点を有する問題点に鑑みてなされたものであり、その主たる目的とする所は、キャップ本体を著しく手の指で容易に持ちやすい形状とすると共に、指で持った場合に持つ部分が充分に確保され、滑る事がないので、取り付け、取り外し等の操作が極めて容易にでき、また、書類やメモ等の固定された状態が美観に優れると共に、非常に体裁がよいキャップと永久磁石との組合せを提供するものである。
【課題を解決するための手段】
【０００４】  上記目的を達成するために、本考案のキャップと永久磁石との組合せにおいては、キャップ本体を円筒形状で外周が指で持てる高さ寸法の手指間隔部を設け、該手指間隔部には、外周に滑り止め用となる粗面部を形成する。また、キャップ部の内部には、各種の内螺子部を刻設してある。永久磁石は、該キャップ部の内面の嵌合できる円形状に形成されている。また、該永久磁石には、外周に環体を被着すると共に、その外周に該キャップ部の内螺子部と螺合する外螺子部を刻設したものである。
【考案の効果】
【０００５】  本考案は、以上説明したように構成されているので、従来のものと相違して非常に手の指で持ち易い効果と、みだりに落すことなく取り付け、取り外し操作が容易となる効果がある。そして、キャップ本体の外周に滑り止め用の粗面部を設けてあるので、持ち運びも容易であると共に、固定した後の移動及び着脱に対しても大変に便利であると云う効果もある。また、指で持てる高さ寸法の手指間隔部を設けてあるので、永久磁石による固定の時の取り付け、取り外しの着脱操作に大変便利となる効果がある。更に、永久磁石の外周に設けた合成樹脂等よりなる環体に外螺子部を刻設したので、該キャップ本体の内周に設けた内螺子部と確実に螺合できるので強固に固定されると云う効果もある。
【考案を実施するための最良の形態】
【０００６】  上記のように構成されているキャップと永久磁石との組合せによれば、キャップ部に永久磁石を嵌合又は螺合し、これを書類やメモ及び写真等を、ロッカー、冷蔵庫、ホワイトボード等のスチール面にキャップ部の手指間隔部を持って容易に着脱自在に固定して使用するものである。
【実施例】
【０００７】  次に、本考案の実施例を図面について説明すると、図１に示すものは、キャップ本体（１）の全体の斜面図を示すもので、該キャップ本体（１）は、キャップ部（２）と、永久磁石（３）との組合せで構成されている。該キャップ部（２）は、図５に示す如く合成樹脂等の構成材料でペットボトル等のキャップ状の円筒形に形成され、該キャップ部（２）の円筒形の高さ寸法は、手の指で充分に持てる範囲の寸法で、少なくとも１ｃｍ以上の手指間隔部（１０）の巾の寸法に構成される。
また、該キャップ部（２）には、外周の一部又は全周に各種形状の粗面部（６）を刻設してある。更に、該キャップ部（２）には、内周の一部又は全内周に各種形状の内螺子部（７）を刻設されている。
次に、該キャップ部（２）に嵌入される該永久磁石（３）は、円形状で適宜の巾に形成される。また、該永久磁石（３）には、図５、図６に示す如く、外周に合成樹脂等よりなる環体（５）を被着してある。該環体（５）には、外周に核キャップ部（２）の内周面に設けてある内螺子部（７）に螺合する適宜形状の外螺子部（８）を刻設してある。符号（９）は、図２に示すキャップ部（２）の正面に図柄、模様を表わした表示部を示したものである。
【図面の簡単な説明】
【０００８】
【図１】  本考案のキャップ本体の全体斜面図である。
【図２】  本考案のキャップ本体の正面図である。
【図３】  同じくキャップ本体の全体の裏面図である。
【図４】  本考案のキャップ部の縦断側面図である。
【図５】  同じく本考案のキャップ本体をキャップ部と永久磁石とを分離した状態の斜面図である。
【図６】  本考案の外螺子部を設けた全体斜面図である。
【符号の説明】
【０００９】１          キャップ本体
２          キャップ部
３          永久磁石
５          環体
６          粗面部
７          内螺子部
８          外螺子部
９          表示部
１０        手指間隔部
【図１】
0003129780.tif 000003
【図２】
0003129780.tif 000004
【図３】
0003129780.tif 000005
【図４】
0003129780.tif 000006
【図５】
0003129780.tif 000007
【図６】
0003129780.tif 000008